(57)【要約】  本発明のデータアイテムを選択する方法は、第１のタイプ、例えば短い番組記述の第１のデータアイテム３５を受信し、例えば表示用に、第１のデータアイテム３５を選択するステップを有する。更に、方法は、第２のタイプ、例えば長い番組記述の第２のデータアイテム３７を受信すると、第１のタイプの第１のデータアイテム３５の代わりに第２のデータアイテム３７を選択し、第１のデータアイテム３５を再受信しても、第１のデータアイテム３５を再選択しないことを有する。本発明の電子デバイスは、本発明の方法を実行するように構成された電子回路を有する。本発明のコンピュータプログラムは、プログラム可能なデバイスに本発明の方法を実行させ得るソフトウェアを有する。
2009542082.tif 000002
【特許請求の範囲】
【請求項１】
電子回路を有する電子デバイスであって、
前記電子回路は、
第１のタイプの第１のデータアイテムを受信し、
前記第１のデータアイテムを選択し、
第２のタイプの第２のデータアイテムを受信すると、前記第１のタイプの前記第１のデータアイテムの代わりに前記第２のデータアイテムを選択し、前記第１のデータアイテムを再受信しても、前記第１のデータアイテムを再選択しない、電子デバイス。
【請求項２】
前記電子回路は、第１の文書タグに対応する前記第１のタイプ及び第２の文書タグに対応する前記第２のタイプで文書を解析する、請求項１に記載の電子デバイス。
【請求項３】
前記電子回路は、第１の間隔で前記第１のデータアイテムを繰り返し受信し、前記第１の間隔よりも長い第２の間隔で前記第２のデータアイテムを受信する、請求項１に記載の電子デバイス。
【請求項４】
前記電子回路は、前記第１のタイプの前記第１のデータアイテムを最初に表示し、前記第２のデータアイテムを受信すると、表示済みの前記第１のデータアイテムの代わりに前記第２のデータアイテムを表示する、請求項１に記載の電子デバイス。
【請求項５】
前記第１のタイプ及び前記第２のタイプがユーザにより規定され得る、請求項１に記載の電子デバイス。
【請求項６】
前記第１のタイプは、短い記述を表し、前記第２のタイプは、長い記述を表す、請求項１に記載の電子デバイス。
【請求項７】
前記短い記述及び前記長い記述は、放送番組を記述する、請求項６に記載の電子デバイス。
【請求項８】
データアイテムを選択する方法であって、
第１のタイプの第１のデータアイテムを受信するステップと、
前記第１のデータアイテムを選択するステップと、
第２のタイプの第２のデータアイテムを受信すると、前記第１のタイプの前記第１のデータアイテムの代わりに前記第２のデータアイテムを選択し、前記第１のデータアイテムを再受信しても、前記第１のデータアイテムを再選択しないステップとを有する、方法。
【請求項９】
プログラム可能なデバイスに請求項８の方法を実行させ得るソフトウェアを有するコンピュータプログラム。
【発明の詳細な説明】
【技術分野】
【０００１】
本発明は、電子回路を有する電子デバイスに関し、電子回路は、第１のタイプの第１のデータアイテム、例えば、ショートプログラムの記述を受信及び選択するように構成されている。
【０００２】
本発明は、さらに、第１のタイプの第１のデータアイテムを受信及び選択するステップを有する、データアイテムを選択する方法に関する。
【０００３】
本発明は、また、プログラム可能なデバイスに、データアイテムを選択する方法を実行させ得るソフトウェアを有するコンピュータプログラムに関する。
【背景技術】
【０００４】
斯様な方法の一例は、ＤＶＢスタンダード及びプロセスＤＶＢ−ＳＩデータ（DVB standard and process DVB-SI data）に適合するフィリップステレビジョン（PhilipsTM television）で知られている。フィリップステレビジョンは、対応する番組リストがハイライトされ、情報（info）ボタンが押された場合に、当該番組のＤＶＢ−ＳＩショートインフォフィールドの内容を表示する。拡張したインフォフィールドの内容は、ユーザが情報ボタンを押した場合であっても利用可能ではないことが多く、ユーザによるリクエストがユーザにより認識されない場合に番組の記述を提示しないことから、既知の手法の欠点は、ショートインフォフィールドの内容しか示されないことである。
【発明の開示】
【発明が解決しようとする課題】
【０００５】
本発明の第１の目的は、データのよりユーザフレンドリな提示を可能にするために代わりのデータの中から選択することができる、冒頭で述べたタイプの電子デバイスを提供することにある。
【０００６】
本発明の第２の目的は、データのよりユーザフレンドリな提示を可能にするために代わりのデータの中から選択することができる、冒頭で述べたタイプの方法を提供することにある。
【課題を解決するための手段】
【０００７】
本発明によれば、第１の目的は、電子回路が、第２のデータアイテムを受信すると、第１のタイプの第１のデータアイテムの代わりに第２のタイプの第２のデータアイテムを選択し、第１のデータアイテムを再受信しても、第１のデータアイテムを再選択しないように更に構成されることで実現される。これは、代わりのデータアイテムの一つが利用可能である場合には、この代わりのデータアイテムが選択されるが、少なくとも２つの代わりのデータアイテムが利用可能である場合には、少なくとも２つの代わりのデータアイテムのうちの好ましい１つだけが選択されることを保証する。
【０００８】
本発明の電子デバイスの実施形態によれば、電子回路は、第１の文書タグに対応する第１のタイプ及び第２の文書タグに対応する第２のタイプで文書、例えばＸＭＬ文書を解析（parse）するように構成されている。代わりに、電子回路は、データ構造を解析するように構成されてもよい。各データタイプは、データ構造における自身の開始位置及び終了位置を持ってもよい。しかしながら、データ構造の代わりの文書の使用は、より柔軟性を供する。
【０００９】
電子回路は、第１の間隔で第１のデータアイテムを繰り返し受信するとともに、第１の間隔よりも大きい第２の間隔で第２のデータアイテムを受信するように構成されてもよい。これは、例えば、短い記述が長い記述よりも多く伝送される、ＤＶＢ−ＳＩデータを受信する場合のことである。長い記述が好ましいが、短い記述は、長い記述が利用不能である場合に選択され得るとともに、長い記述が受信されるとすぐに長い記述に交換され得る。代わりに、第１のデータアイテム及び第２のアイテムは、例えばインターネット上で１回だけ受信されてもよい。第１のデータアイテムは、第２のデータアイテムの前の或る期間利用可能であってもよい。例えば、或るデータソースからのＥＰＧデータが、２週間分の短い記述を有するとともに、１週間分の長い記述を有してもよく、又は、第１のソースからのＥＰＧデータが２週間分の短い記述を有し、第２のソースからのＥＰＧデータが１週間分の長い記述を有してもよい。
【００１０】
電子回路は、第１のタイプの第１のデータアイテムを最初に表示し、第２のデータアイテムを受信すると、表示済みの第１のデータアイテムの代わりに第２のデータアイテムを表示するように構成されてもよい。これは、第２のデータアイテムが到着するのに長い時間はかからないが、到着するのを待つには長すぎる、即ち、とりあえず選択するデータアイテムがない場合に特に有利である。代わりに、第２のデータアイテムは次に択一のデータアイテムのうちの1つが選択される必要がある、例えば、ユーザが、第１及び第２のデータアイテムが関連付けられるための、アイテムに関する情報をリクエストする場合にだけ表示される。第２のデータアイテムが受信された場合には、表示済みの第１のデータアイテムに加えて直ちに表示されたり、次に択一のデータアイテムのうちの1つが選択される必要がある場合に第１のデータアイテムの代わりに表示されたりしてもよい。
【００１１】
第１のタイプ及び第２のタイプは、ユーザが規定可能（user-definable）であってもよい。これは、ユーザが好ましいとする択一のデータタイプ、例えば、長い記述又は短い記述をユーザに規定させることを可能にする。
【００１２】
第１のタイプが短い記述（例えば、２又は３行）を表してもよく、第２のタイプが長い記述（例えば、１０行）を表してもよい。通常、短い記述と長い記述とでは重複部分があり、それ故に双方の記述を組み合わせることはユーザフレンドリではないので、電子デバイスは、この場合において特に有利である。
【００１３】
短い記述及び長い記述は、放送番組（broadcast program）を記述してもよい。短い及び長い記述は、多くの場合、電子番組ガイド（ＥＰＧ；electronic program guide）で用いられる。代わりに、短い及び長い記述は、ニュースアイテムを記述することができ、又は、第１及び第２のタイプは、ニュースアイテムの他の特性を表すことができる。
【００１４】
本発明によれば、第２の目的は、方法が、第２のデータアイテムを受信すると、第１のタイプの第１のデータアイテムの代わりに第２のタイプの第２のデータアイテムを選択し、第１のデータアイテムを再受信しても、第１のデータアイテムを再選択しないステップを更に有することで実現される。この方法は、例えば、コンピュータプログラム又はインターネットＥＰＧにより実行されてもよい。
【００１５】
本発明のこれら及び他の態様は、図面を参照して例示の態様により明確に理解され、更に明らかになる。
【発明を実施するための最良の形態】
【００１６】
図中における対応するエレメントは、同一の参照符号で示される。
【００１７】
データアイテムを選択する方法は、少なくとも４つのステップを有する。ステップ３は、第１のタイプの第１のデータアイテムを受信することを有する。ステップ５は、第１のデータアイテムを選択することを有する。ステップ９は、ステップ７において第２のデータアイテムを受信すると、第１のタイプの第１のデータアイテムの代わりに第２のタイプの第２のデータアイテムを選択し、第１のデータアイテムを再受信しても、第１のデータアイテムを再選択しないことを有する。本発明の方法は、図１の状態図として示されている。状態１は、初期状態である。ステップ５及び９が状態として示されている。ステップ３及び７が入力として示されている。第２のデータアイテムが未だ選択されていない場合には（状態１及び５）、第２のデータアイテムが受信されたときに（入力７）、第２のデータアイテムが状態９において選択される。第２のデータアイテムが既に選択されている場合には（状態９）、第２のデータアイテムが再受信されたときに、追加的に再選択されてもよい。第１のアイテムが未だ選択されていない場合には、第２のデータアイテムが未だ選択されていないときに（即ち、状態９に至っていないときに）、即ち、第１又は第２のアイテムが受信される前に（状態１）、又は追加的に、第２のデータアイテムが受信される前であって第１のデータアイテムが受信された後に（状態５）だけ、第１のデータアイテムが選択される（状態５）。
【００１８】
図２は、異なる時期（moment）での同一のテレビ番組の２つの情報領域（info area）の一例を示している。情報領域３１は、第２のデータアイテムが受信される前、即ち１４：００に選択されたデータを示している。情報領域３３は、第２のデータアイテムが受信された後、即ち１４：０３に選択されたデータを示している。情報領域３１において、短い番組記述（short program description）３５が示されている。情報領域３３において、短い番組記述が長い番組記述（long program description）３７に交換されている。この交換は、情報領域が表示されながら、又は、同一情報がユーザによってリクエストされる次のときに実行されてもよい。
【００１９】
電子デバイス５１は、電子回路５３を有している（図３を参照）。電子回路５３は、第１のタイプの第１のデータアイテムを受信し、第１のデータアイテムを選択するように構成されている。更に、電子回路５３は、第２のデータアイテムを受信すると、第１のタイプの第１のデータアイテムの代わりに第２のタイプの第２のデータアイテムを選択し、第１のデータアイテムを再受信しても、第１のデータアイテムを再選択しないように構成されている。電子デバイス５１は、例えば、テレビジョン、ＰＣ、ゲーム機、光ディスクレコーダ、衛星放送受信機、地上波放送受信機又はケーブル放送受信機であってもよい。電子回路５３は、コンピュータプログラムを実行可能であってもよい。電子回路５３は、ＤＶＤレコーダで用いられるようなアプリケーション特有のプロセッサ、又は、多くのメディアセンタで用いられる一般目的のプロセッサであってもよい。
【００２０】
電子デバイス５１は、格納手段５５、入力５７及び出力５９を有してもよい。格納手段５５は、例えば、光ディスクリーダ／ライタ、磁気記録手段、個体メモリ、及び／又はホログラフィック記録手段を有してもよい。入力５７及び出力５９は、例えば、ネットワークコネクタ、即ちＵＳＢコネクタ若しくはイーサネット（登録商標）コネクタ、同軸コネクタ、シンチコネクタ（cinch connector）若しくはＳＣＡＲＴコネクタのようなアナログオーディオ及び／若しくはビデオコネクタ、又は、ＨＤＭＩ若しくはＳＰＤＩＦコネクタのようなデジタルオーディオ及び／若しくはビデオコネクタを有してもよい。入力５７は、例えば、アナログチャンネルにおけるＶＢＩデータから、デジタルチャンネルにおけるＤＶＢ−ＳＩデータから、又は、インターネットから、データアイテムを受信するために用いられ得る。入力５７及び出力５９は、無線受信機及び／又は送信機を有してもよい。電子デバイス５１は、複製手段（図示されていない）を有してもよい。複製手段は、例えば、ディスプレイ及び／又は拡声器（loud speaker）を有してもよい。
【００２１】
本発明が好ましい実施形態に関して説明する一方で、上記で概説した原理の範囲内におけるこれらの改良が当業者にとって明白であり、それ故、本発明が好ましい実施形態に限定されず、斯様な改良を包含することを意味することが理解されるだろう。本発明は、それぞれ及び全てが新規な特性をそなえ、それぞれ及び全てが特性の組み合わせをそなえている。特許請求の範囲における参照符号は、これらの保護範囲を限定するものではない。"有する"という用語及びその結合の使用は、特許請求の範囲において記載されたもの以外の要素の存在を除外するものではない。要素の単数表記の使用は、複数の斯様な要素の存在を除外するものではない。
【００２２】
"手段"は、当業者にとって明らかであるように、単一の又は他の機能とともに、分離して又は他の要素と協働して、動作中に実行される又は特定の機能を実行するために設計されたいかなるハードウェア（個別の若しくは統合された回路又は電子要素等）又はソフトウェア（プログラム又はプログラムの部分等）をも含むことを意味する。本発明は、異なる要素を有するハードウェアの態様により、及び適当にプログラムされたコンピュータの態様により実行され得る。"コンピュータプログラム"は、フロッピー（登録商標）ディスク等のコンピュータ読み取り可能な媒体に格納された、インターネット等のネットワークを介してダウンロード可能な、又は、他のいかなる態様において取引可能な、いかなるソフトウェアを意味することを理解すべきである。
【図面の簡単な説明】
【００２３】
【図１】本発明の方法の状態図である。
【図２】第１の時期及び第２の時期での本発明の方法の一実施形態により表示されたデータの一例を示す図である。
【図３】本発明の電子デバイスのブロック図である。
【図１】
2009542082.tif 000003
【図２】
2009542082.tif 000004
【図３】
2009542082.tif 000005
【国際調査報告】
2009542082.tif 000006
2009542082.tif 000007
2009542082.tif 000008